(57)【要約】【課題】収納本体と蓋体との確実な固定と、蓋体の開閉の操作性および収納具の取扱性の向上を図った食器の収納具を提供する。【解決手段】収納本体１と、蓋体１１と、蓋体１１の収納本体１への固定手段を備え、前記固定手段は、上端部側方に突出する凸状部を形成して収納本体に固定したＵ字状係止部材９と、前記凸状部に係止する蓋体１１に有した固定部材１６を備え、蓋体１１の下降にともない、固定部材１６が前記左右対称に形成した凸状部の順次下方側に傾斜する傾斜部に接触し、二本の縦線材を内方に弾性変形させ、さらに固定部材１６が順次下方側に傾斜する傾斜部と順次上方側に傾斜する傾斜部との頂点部を過ぎると二本の縦線材が外方に弾性変形し、固定部材１６を凸状部の順次上方側に傾斜する傾斜部の各々に保持して収納本体１に蓋体１１を固定するものである。【選択図】図１
2010068940.tif 000002
【特許請求の範囲】
【請求項１】
食器を収納する収納本体と、収納本体の蓋体と、収納本体と蓋体の回動部材と、回動部材と対向する側に有する蓋体の収納本体への固定手段を備え、前記固定手段は、線材をＵ字状に形成し、前記Ｕ字状に形成した二本の縦線材の上端部側方に突出する凸状部を形成し、
前記凸状部は順次下方側に傾斜する傾斜部と順次上方側に傾斜する傾斜部とを一体的に形成するとともに、前記凸状部を二本の縦線材に左右対称に形成し、前記二本の縦線材下端部を繋ぐ横線材の一部を前記収納本体に固定したＵ字状係止部材と、前記凸状部に係止する蓋体に有した固定部材を備え、回動部材を支点とする蓋体の下降にともない、固定部材が前記左右対称に形成した凸状部の順次下方側に傾斜する傾斜部に接触し、二本の縦線材を内方に弾性変形させ、さらに固定部材が順次下方側に傾斜する傾斜部と順次上方側に傾斜する傾斜部との頂点部を過ぎると二本の縦線材が外方に弾性変形し、固定部材を凸状部の順次上方側に傾斜する傾斜部の各々に保持して収納本体に蓋体を固定することを特徴とする食器の収納具。
【請求項２】
二本の縦線材を内方に弾性変形させて固定部材を凸状部の順次下方側に傾斜する傾斜部から外して固定部材の保持を解除し蓋体を開けられるようにしたことを特徴とする請求項１に記載の食器の収納具。
【請求項３】
固定手段は収納本体および蓋体の外側面よりも内側に構成したことを特徴とする請求項１または２に記載の食器の収納具。
【請求項４】
二本の縦線材の下端部を収納本体の内側方向に屈曲させて収納部本体に固定したことを特徴とする請求項１〜３のいずれか１項に記載の食器の収納具。
【発明の詳細な説明】
【技術分野】
【０００１】
本発明は、特に学校、病院等の給食のように皿、お椀、トレイなどの被洗浄物である食器を比較的大量に使用する状況における食器の収納具に関するものである。
【背景技術】
【０００２】
従来、被洗浄物である食器の収納具に関しては、食器洗浄機の庫内に着脱自在に設けられ、その内部に収納される食器類を洗浄するための食器洗浄機用の網かごにおいて、網かごは、網かご本体と蓋体とからなり、網かご本体は、線材を網目状に組み合わせて上面が開口される箱体状に形成され、蓋体は、網かご本体の上面開口に対応するよう線材７を網目状に組み合わせて全体として柔軟性を有するよう形成され、蓋体が網かご本体の上面開口に開閉自在に枢着されるもので、網かご本体と蓋体は、間隔を開けて略Ｊ字状の係止具が取り付けられているものがある（特許文献１参照）。
【０００３】
また、方形箱型の金網篭で、上面に設けた開口の周囲枠およびこれと直交状をなす一周面に設けた開口の周囲枠に、金網からなる方形の蓋板がそれぞれ開閉自在に取付けられ、前記各周囲枠の平行をなす一対の枠辺にはそれぞれ把手が取付けられおり、弾性を有する鉤型状等の止め金具により周囲枠の相対する反対側の一枠辺にスナップ状に掛け止めることにより、蓋を閉じた状態に固定されるように構成されているものがある（特許文献２参照）。
【特許文献１】特開平６−２１７９２０
【特許文献２】特開２００２−２１９０９１
【発明の開示】
【発明が解決しようとする課題】
【０００４】
しかしながら、前記特許文献１、２に記載されたものは、複数の係止具または止め金具を掛け止めることにより食器を収納する収納本体と蓋体を固定するようにしているため、収納本体と蓋体との固定する力が弱く、確実な固定ができない。
収納本体に質量の大なる食器を収納した場合には、蓋体を直接手に持って移動させることができず、特に特許文献２に記載のものは、収納本体に把手を対向した位置に設けてこの把手を持って移動させる必要があり、取り扱い時の収納具の方向が限定される。
また、係止具または止め金具を収納具の外面に設けているため、他の物体にこれらが触れた場合には固定が外れる恐れがある。
【０００５】
本発明は前記従来の課題を解決するもので、収納本体と蓋体との確実な固定と、蓋体の開閉の操作性および収納具の取扱性の向上を図った食器の収納具を提供することを目的とするものである。
【課題を解決するための手段】
【０００６】
前記従来の課題を解決するために本発明の食器の収納具は、食器を収納する収納本体と、収納本体の蓋体と、収納本体と蓋体の回動部材と、回動部材と対向する側に有する蓋体の収納本体への固定手段を備え、前記固定手段は、線材をＵ字状に形成し、前記Ｕ字状に形成した二本の縦線材の上端部側方に突出する凸状部を形成し、前記凸状部は順次下方側に傾斜する傾斜部と順次上方側に傾斜する傾斜部とを一体的に形成するとともに、前記凸状部を二本の縦線材に左右対称に形成し、前記二本の縦線材下端部を繋ぐ横線材の一部を前記収納本体に固定したＵ字状係止部材と、前記凸状部に係止する蓋体に有した固定部材を備え、回動部材を支点とする蓋体の下降にともない、固定部材が前記左右対称に形成した凸状部の順次下方側に傾斜する傾斜部に接触し、二本の縦線材を内方に弾性変形させ、さらに固定部材が順次下方側に傾斜する傾斜部と順次上方側に傾斜する傾斜部との頂点部を過ぎると二本の縦線材が外方に弾性変形し、固定部材を凸状部の順次上方側に傾斜する傾斜部の各々に保持して収納本体に蓋体を固定することを特徴とするものである。
【発明の効果】
【０００７】
本発明の食器の収納具によれば、収納本体と蓋体との確実な固定と、蓋体の開閉の操作性および収納具の取扱性の向上を図ることができる。
【発明を実施するための最良の形態】
【０００８】
第１の発明は、食器を収納する収納本体と、収納本体の蓋体と、収納本体と蓋体の回動部材と、回動部材と対向する側に有する蓋体の収納本体への固定手段を備え、前記固定手段は、線材をＵ字状に形成し、前記Ｕ字状に形成した二本の縦線材の上端部側方に突出する凸状部を形成し、前記凸状部は順次下方側に傾斜する傾斜部と順次上方側に傾斜する傾斜部とを一体的に形成するとともに、前記凸状部を二本の縦線材に左右対称に形成し、前記二本の縦線材下端部を繋ぐ横線材の一部を前記収納本体に固定したＵ字状係止部材と、前記凸状部に係止する蓋体に有した固定部材を備え、回動部材を支点とする蓋体の下降にともない、固定部材が前記左右対称に形成した凸状部の順次下方側に傾斜する傾斜部に接触し、二本の縦線材を内方に弾性変形させ、さらに固定部材が順次下方側に傾斜する傾斜部と順次上方側に傾斜する傾斜部との頂点部を過ぎると二本の縦線材が外方に弾性変形し、
固定部材を凸状部の順次上方側に傾斜する傾斜部の各々に保持して収納本体に蓋体を固定することを特徴とする食器の収納具としたものである。
【０００９】
これによって、収納本体と蓋体との確実な固定と、蓋体の開閉の操作性および収納具の取扱性の向上を図ることができる。
【００１０】
第２の発明は、第１の発明において、二本の縦線材を内方に弾性変形させて固定部材を凸状部の順次下方側に傾斜する傾斜部から外して固定部材の保持を解除し蓋体を開けられるようにしたことを特徴とする食器の収納具としたものである。
【００１１】
これによって、固定部材の保持を解除し蓋体を簡単な操作によって開けることができる。さらに二本の縦線材の内方に弾性変形させる操作に要する力が小さく操作性を向上させることができる。
【００１２】
第３の発明は、第１または第２の発明において、固定手段は収納本体および蓋体の外側面よりも内側に構成したことを特徴とする請求項１または２に記載の食器の収納具としたものである。
【００１３】
これによって、食器の収納具のすべての外面を下にして作業台、床等に載置しても、食器の収納具をぐらつきの無い安定した状態とすることができる。さらに、Ｕ次状係止部材と固定部材から構成した固定手段も作業台、床等に接触することが無く、誤って蓋体が開いてしまうことがなく複数の食器を確実に収納した状態とすることができる。
【００１４】
第４の発明は、第１の発明において、二本の縦線材の下端部を収納本体の内側方向に屈曲させて収納部本体に固定したことを特徴とする請求項１〜３のいずれか１項に記載の食器の収納具としたものである。
【００１５】
これによって、二本の縦線材の外側をつかみ、二本の縦線材を内方に弾性変形させる際、二本の縦線材に加え、屈曲させた横線材の長さ方向における曲げ弾性、さらに横線材の径方向のねじれ弾性が作用し、手の指による操作力を軽減させて収納本体から蓋体を開けるときの固定手段の操作性を向上させることができる。
【実施例】
【００１６】
以下、本発明の一実施例を図１〜図１１を参照しながら説明する。図１は本発明の一実施例の食器の収納具の全体基本構成を示す正面図、図２は図１の側面図、図３は蓋体を収納本体から開状態とした側面図、図４は収納本体の一部正面図、図５は収納本体の上面から見た平面図、図６は収納本体に固定したＵ次状係止部材の斜視図、図７は蓋体の上面からの見た平面図、図８から図１０は収納本体に固定したＵ次状係止部材に蓋体の固定部材を挿入するときの状態図、図１１は、収納本体に固定したＵ次状係止部材に蓋体の固定部材を挿入し、蓋体を収納本体に固定したときの上面から見た一部平面図である。
【００１７】
本発明の一実施例の食器の収納具は、大きく分けて食器を収納する収納本体１と収納本体１の上面開口を閉じる蓋体１１とにより構成している。
【００１８】
収納本体１は、線材を矩形状に形成した横枠２ａ、２ｂ、２ｃとこれらに縦線材４ａから４ｅの各々を溶接等で固定している。横枠２ｃの下側に横線材３ａ、３ｂを固定している。
また、正面側の縦線材４ｂ、４ｃの内側面にＵ字状係止部材９の保持線材５ａ、５ｂを固定してある。
【００１９】
収納本体１の側面には、板状の支持部材６ａ、６ｂ、６ｃ、６ｄを横枠２ａ、２ｂ、２ｃの内側面に固定してある。支持部材６ａ、６ｃに棒状の食器支持体７ａ、さらに支持部材６ｂ、６ｄに棒状の食器支持体７ｂが固定してある。
【００２０】
食器支持体７ａ、７ｂの一方側に、収納する食器１０の表面側の位置を規制する位置規制部材８ａ、８ｂを装着しており、この位置規制部材８ａ、８ｂは食器支持体７ａ、７ｂの長手方向に食器の収納数に応じて移動可能に構成している。
【００２１】
収納本体１の正面側にＵ字状係止部材９を位置させており、このＵ字状係止部材９は図６に示すように、弾性を有する線材をＵ字状に形成し、Ｕ字状に形成した二本の縦線材９ｃの上端部側方に突出する凸状部９ｄを形成し、凸状部９ｄは順次下方側に傾斜する傾斜部９ｆと順次上方側に傾斜する傾斜部９ｈを形成するとともに、凸状部９ｄを二本の縦線材９ｃに左右対称にして形成し、二本の縦線材９ｃ下端部を繋ぐ横線材９ａの一部を収納本体の横線材３ａに固定しているものである。
【００２２】
また、二本の縦線材９ｃと順次下方側に傾斜する傾斜部９ｆとで頂点部９ｅ、順次下方側に傾斜する傾斜部９ｆと順次上方側に傾斜する傾斜部９ｈ、頂点部９ｇを形成している。
さらに二本の縦線材９ｃの上端部および凸状部９ｄ部分は、収納本体１の内側方向にやや傾斜させている。
【００２３】
また、二本の縦線材９ｃの下端部を収納本体の内側方向に屈曲させて横線材９ｂを構成し、横線材９ｂを介して横線材９ａの一部を収納本体の横線材３ａに固定している。このようにＵ字状係止部材９を線材により一体的に形成したものである。
【００２４】
Ｕ字状係止部材９の二本の縦線材９ｃは、正面側の縦線材４ｂ、４ｃの内側面に固定した保持線材５ａ、５ｂと横枠２ａ、２ｂ、２ｃとで移動自在に挟持し、二本の縦線材９ｃの収納本体１の内側への変形を防止しているものである。
【００２５】
蓋体１１は、線材を矩形状に形成した横枠１２ａ、１２ｂとこれらに縦線材１３ａから１３ｅの各々を溶接等で固定している。
【００２６】
蓋体１１の側面には、板状の支持部材１５ａ、１５ｂ、１５ｃ、１５ｄを横枠１２ａ、１２ｂの内側面に固定してある。支持部材１５ａ、１５ｃに棒状の食器支持体１７ａ、さらに支持部材１５ｂ、１５ｄに棒状の食器支持体１７ｂが固定してある。
【００２７】
食器支持体１７ａ、１７ｂの一方側に、収納する食器１０の表面側の位置を規制する位置規制部材１８ａ、１８ｂを装着しており、この位置規制部材１８ａ、１８ｂは食器支持体１７ａ、１７ｂの長手方向に食器の収納数に応じて移動可能に構成している。
【００２８】
また、図７に示すように蓋体１１の正面側に、Ｕ字状に曲げた線材の両端部を横枠１２ｂに固定した固定部材１６を設け、この固定部材１６の横枠１２ａとの平行部を、横枠１２ａから所定距離離して枠状に構成している。
【００２９】
また、収納本体１の横枠２ａと蓋体１１の横枠１２ｂに回動部材１９を設け、この回転部材１９を支点として収納本体１に対して蓋体１１を開閉自在とする。さらに収納本体１に有するＵ字状係止部材９と蓋体１１に有する固定部材１６とにより、収納本体１と蓋体１１の固定手段を構成している。前記固定手段は収納本体１および蓋体１１の外側面（横枠２ａ、２ｂ、２ｃおよび横枠１２ａ、１２ｂの外側面）よりも内側になるように構成しているものである。なお、収納具を構成する各線材には、例えばＳＵＳ４３０、ＳＵＳ３０４等を用いるものである。
【００３０】
次に、蓋体１１を開閉するときの構成、動作を説明する。先ず収納本体１に蓋体１１を固定する場合の構成、動作を説明する。図８に示すように回動部材１９を支点とする蓋体１１の下降にともない固定部材１６がＵ字状係止部材９に近接する。
【００３１】
さらに、蓋体１１の下降にともない、固定部材１６が縦線材９ｃと順次下方側に傾斜する傾斜部９ｆとの頂点部９ｅをすぎると、図９に示すように固定部材１６が左右対称に形成した凸状部１５の順次下方側に傾斜する傾斜部９ｆに接触し、二本の縦線材９ｃを内方に弾性変形させる。
【００３２】
さらに、固定部材１６が順次下方側に傾斜する傾斜部９ｆと順次上方側に傾斜する傾斜部９ｈとの頂点部９ｇを過ぎると二本の縦線材９ｃが外方に弾性変形し、図１０に示すように固定部材１６を凸状部１５の順次上方側に傾斜する傾斜部９ｈの各々に保持して収納本体１に蓋体１１を固定する。
【００３３】
次に、収納本体１から蓋体１１を開ける場合の構成、動作を説明する。縦線材４ｂ、４ｃ間の空間から手の指を入れて二本の縦線材９ｃの外側をつかみ、二本の縦線材９ｃを内方に弾性変形させて固定部材１６を凸状部１５の順次下方側に傾斜する傾斜部９ｈから外して、固定部材１６の保持を解除し蓋体１１を簡単な操作によって開けることができる。さらに二本の縦線材９ｃの内方に弾性変形させる操作に要する力が小さく操作性を向上させることができる。
【００３４】
また前記したように、二本の縦線材９ｃの下端部を収納本体１の内側方向に屈曲させて横線材９ｂを構成し、横線材９ｂを介して横線材９ａの一部を収納本体の横線材３ａに固定している。これによって、二本の縦線材９ｃの外側をつかみ、二本の縦線材９ｃを内方に弾性変形させる際、二本の縦線材９ｃに加え、横線材９ｂの長さ方向における曲げ弾性、さらに横線材９ｂの径方向のねじれ弾性が作用し、手の指による操作力を軽減させて収納本体１から蓋体１１を開けるときの固定手段の操作性を向上させることができる。
【００３５】
以上のように、収納本体１への蓋体１１の固定操作は、蓋体１１を回動させるだけでよく、簡単に行うことができ、さらに固定部材１６を凸状部１５の順次上方側に傾斜する傾斜部９ｈの各々に保持して収納本体１に蓋体１１を確実に固定することができる。
【００３６】
また、蓋体１１の横枠１２ａを持って食器の収納具を移動させる際、固定部材１６を凸状部１５の順次上方側に傾斜する傾斜部９ｈの各々に保持しているので、蓋体１１の固定部材１６が順次上方側に傾斜する傾斜部９ｈの内側方向に移動するようになり、二本の縦線材９ｃが外方に弾性変形する傾向となり、一層固定部材１６が順次上方側に傾斜する傾斜部９ｈに保持され、より確実に固定することができる。
【００３７】
さらに、固定部材１６を凸状部９ｄの順次上方側に傾斜する傾斜部９ｈの各々に保持しているので、食器の収納具をあらゆる方向にして取り扱われても、収納本体１に蓋体１１を確実に固定したままとすることができる。
【００３８】
食器１０を収納するときは、位置規制部材８ａ、８ｂを上になるようにして食器の収納具を縦方向とし、蓋体１１を略９０度開ける。予め所定数重ねて積み上げた複数の食器１０を収納本体１に挿入する。このとき食器１０の周端部（外周部）が食器支持体７ａ、７ｂに当接して位置決めされる。
【００３９】
複数の食器１０を収納本体１に挿入した後、蓋体１１を回動させて前記したように収納本体１に蓋体１１を固定する。このとき蓋体１１の食器支持体７ｃ、７ｄに食器１０の周端部（外周部）が当接または近接して収納本体１と蓋体１１とにより複数の食器１０を保持するものである。また、食器１０を収納するときと逆の操作を行うことによって、複数の食器１０を収納本体１から取り出すことができる。
【００４０】
複数の食器１０を収納した食器の収納具は、洗浄装置における洗浄水の噴射による複数の食器１０の洗浄、洗浄後の殺菌乾燥保管庫における熱風による水分の除去、殺菌を行うものである。
【００４１】
前記工程および食器の収納具の移動、運搬時において、食器の収納具は様々な取り扱いを受けるが、Ｕ字状係止部材９と固定部材１６から構成した固定手段は、収納本体１および蓋体１１の外側面よりも内側に構成してあることを含め、食器の収納具の外面全体に凸部が無い。
【００４２】
これによって、食器の収納具のすべての外面を下にして作業台、床等に載置しても、食器の収納具をぐらつきの無い安定した状態とすることができる。さらに、Ｕ字状係止部材９と固定部材１６から構成した固定手段も作業台、床等に接触することが無く、誤って蓋体１１が開いてしまうことがなく複数の食器１０を確実に収納した状態とすることができる。
【００４３】
また、収納本体１、蓋体１１の本体部、およびＵ字状係止部材９と固定部材１６からなる固定手段の各々を所定径（例えば直径３から５ミリメートル）の弾性線材により構成したことによって、製造時の加工工程の簡素化、概観の見栄えをよりよくすることができる。さらに洗浄時には、固定手段がノズルから噴射される洗浄水を遮ることもなく洗浄性能への悪影響が無い。
【００４４】
以上のように、本発明の食器の収納具によれば、収納本体と蓋体との確実な固定と蓋体の開閉の操作性および収納具の取扱性の向上を図ることができる。
【産業上の利用可能性】
【００４５】
食器に限らず、例えば機械加工部品等の被洗浄物の収納にも適用できる。
【図面の簡単な説明】
【００４６】
【図１】本発明の一実施例の食器の収納具の全体基本構成を示す正面図。
【図２】図１の側面図。
【図３】蓋体を収納本体から開状態とした側面図。
【図４】収納本体の一部正面図。
【図５】収納本体の上面から見た平面図。
【図６】収納本体に固定したＵ字状係止部材の斜視図。
【図７】蓋体の上面からの見た平面図。
【図８】収納本体に固定したＵ字状係止部材に蓋体の固定部材を挿入するときの状態図。
【図９】収納本体に固定したＵ字状係止部材に蓋体の固定部材を挿入するときの状態図。
【図１０】収納本体に固定したＵ字状係止部材に蓋体の固定部材を挿入するときの状態図。
【図１１】収納本体に固定したＵ字状係止部材に蓋体の固定部材を挿入し、蓋体を収納本体に固定したときの上面から見た一部平面図。
【符号の説明】
【００４７】
１  収納本体
２ａ  横枠
２ｂ  横枠
２ｃ  横枠
３ａ、３ｂ  横線材
４ａ〜４ｅ  縦線材
５ａ、５ｂ  保持線材
６ａ、６ｂ、６ｃ、６ｄ  支持部材
７ａ  食器支持体
７ｂ  食器支持体
７ｃ  食器支持体
７ｄ  食器支持体
８ａ、８ｂ  位置規制部材
９  Ｕ字状係止部材
９ａ  縦線材
９ｂ  横線材
９ｃ  縦線材
９ｄ  凸状部
９ｅ、９ｇ  頂点部
９ｆ、９ｈ  傾斜部
１０  食器
１１  蓋体
１２ａ、１２ｂ  横枠
１３ａから１３ｅ  縦線材
１５ａ、１５ｂ、１５ｃ、１５ｄ  支持部材
１６  固定部材
１７ａ、１７ｂ  食器支持体
１８ａ、１８ｂ  位置規制部材
【図１】
2010068940.tif 000003
【図２】
2010068940.tif 000004
【図３】
2010068940.tif 000005
【図４】
2010068940.tif 000006
【図５】
2010068940.tif 000007
【図６】
2010068940.tif 000008
【図７】
2010068940.tif 000009
【図８】
2010068940.tif 000010
【図９】
2010068940.tif 000011
【図１０】
2010068940.tif 000012
【図１１】
2010068940.tif 000013